(57)【要約】【課題】ユニットハウスの壁パネルを短時間で容易に設置することが可能で、しかも設置後には外側から壁パネルを取り外すことができないといった防犯性に優れ、更には部分的な解体作業も容易に行えるユニットハウス用壁パネルの固定構造を提供する。【解決手段】屋根梁１と床梁２との間に装着する中柱３と、該中柱３の外側に沿って装着される壁パネル５とを設ける。中柱３の上下に一対のパネル係止杆３ｂを設ける。壁パネル５の上下に係止溝５ｂ、５ｃを設ける。各パネル係止杆３ｂに係止溝５ｂ、５ｃを係止させて壁パネル５を固定する。ユニットハウスの室内側において、中柱３から壁パネル５に挿通する抜け抜止具６を装着する。【選択図】  図３
0003113860.tif 000002
【実用新案登録請求の範囲】
【請求項１】
ユニットハウスの外壁面を構成する壁パネルの固定構造において、屋根梁と床梁との間に装着する中柱と、該中柱の外側に沿って装着される壁パネルとから成り、中柱の上下に設けた一対のパネル係止杆に、壁パネルの上下に設けた係止溝を係止させて固定することを特徴とするユニットハウス用壁パネルの固定構造。
【請求項２】
前記中柱から前記壁パネルに挿通する抜止具を設け、前記中柱と壁パネルに、前記ユニットハウスの室内から抜止具を装着する装着孔を設けた請求項１記載のユニットハウス用壁パネルの固定構造。
【請求項３】
前記中柱の上端部に、前記屋根梁に係止せしめる引掛式の固定金具を設けると共に、中柱の下端部を前記床梁にネジ止めするように設けた請求項１又は２記載のユニットハウス用壁パネルの固定構造。
【請求項４】
前記中柱は、帯状板の長手両側縁に一対の屈曲側片を設けた断面略コ字状を成し、該屈曲側片相互に前記パネル係止杆を架設し、一方、前記壁パネルは、前記中柱の屈曲側片内部に重合する縦枠を壁パネルの左右側縁に設け、該縦枠の上部に設ける前記係止溝をパネル係止杆の下方から係止する縦長状に形成し、縦枠の下部に設ける前記係止溝を側面略鍵形状に形成した請求項１記乃至３いずれか記載のユニットハウス用壁パネルの固定構造。
【考案の詳細な説明】
【技術分野】
【０００１】
本考案は、仮設現場事務所等に使用されるユニットハウス用壁パネルの固定構造に係り、装着が容易で防犯性能の高いユニットハウス用壁パネルの固定構造に関するものである。
【背景技術】
【０００２】
一般的に連棟可能なユニットハウスにおいて、ユニットハウス本体に脱着可能な壁パネルを使用している。この壁パネルは、外壁のほか、窓や出入口等の建具を付加した種々の壁パネルが使用され、各種の壁パネルを入替可能とすることで間取の自由度を高め、施工期間の短縮を可能にしていた。
【０００３】
また、近年においては、壁パネルの着脱が自由に行われないようにするために、壁パネルの設置を室内側から行う構造のものも提案されている。この構造によると、ユニットハウスの壁パネル連結部の外側に中柱を設置することで、壁パネルを外部から取り外すことを困難にし、建物の防犯性を高めるものである。
【０００４】
一方、特許文献１に記載されたユニットハウスのパネル連結固定構造は、パネルの対向する側面に接続板を設け、室内側から装着する接続具に回転自在な係止体を設け、この係止体を室内側から接続板の間に挿通させた後、この係止体を回転させて接続板に固定する構造である。この固定構造は、室内側から接続具を介して壁パネルを固定する為、外側から接続具や壁パネルを取り外すことは困難になり、防犯性能を高めることができる。
【０００５】
更に、特許文献２に記載のユニットハウスにおいては、壁パネル同士の間に連結部材を挟み込み、該連結部材をユニットハウスの床に室内側で固定する構造である。このように、
壁パネル同士の間に連結部材を挟み込むことで、外側から壁パネルを取り付けても外側から壁パネルを取り外すことができなくなり、建物の防犯性を高めるというものである。            
【特許文献１】実開平７−１１１４号公報
【特許文献２】特開２００１−１８２１６０号公報
【考案の開示】
【考案が解決しようとする課題】
【０００６】
従来の固定構造や特許文献１のように、室内側から壁パネルを設置する構造は、簡易的に防犯性能を高めるのに有効な防犯構造になっている。しかしながら、ユニットハウスにおいて使用される壁パネルは、クレーンにて搬送する程の重量物であり、作業員一人で扱うには困難が伴うものであった。しかも、室内側から壁パネルを設置する作業は、一度室内に壁パネルを搬入し、室内で姿勢を整えた上でパネルを設置する手順となるので、施工作業に多くの手間を要していた。また、限られた室内空間での作業は、天井や床に壁パネルが衝突しないように細心の注意を必要とし、結果として施工時間が長くなる問題がある。
【０００７】
一方、特許文献２のように壁パネル同士の間に連結部材を挟み込み、壁パネルを固定する方法は、外側から壁パネルを設置するため、作業性がよく、連結部材を室内で固定することで防犯性能を高めるメリットがある。しかしながら、壁パネル同士の間に連結部材を挟み込む際に、壁パネルを水平方向にスライドしながら順番に連結部材を設置していかなければならない。このため、壁パネルや連結部材の施工順序が限定される上、中間部の壁パネルを交換する場合でも、端の壁パネルを全て取り外すことが必要になるなど、作業順序が限定され、部分的な解体作業性に劣るといった問題がある。
【０００８】
そこで本考案は、上述の課題を解消すべく考案されたもので、壁パネルを容易に設置することが可能で、しかも設置後には外側から壁パネルを取り外すことができず、更には部分的な解体作業も容易に行えるユニットハウス用壁パネルの固定構造の提供を目的とするものである。
【課題を解決するための手段】
【０００９】
本考案の第１の手段は、ユニットハウスの外壁面を構成する壁パネルの固定構造において、屋根梁１と床梁２との間に装着する中柱３と、該中柱３の外側に沿って装着される壁パネル５とから成り、中柱３の上下に設けた一対のパネル係止杆３ｂに、壁パネル５の上下に設けた係止溝５ｂ、５ｃを係止させて固定することにある。
【００１０】
第２の手段は、前記中柱３から前記壁パネル５に挿通する抜止具６を設け、前記中柱３と壁パネル５に、前記ユニットハウスの室内から抜止具６を装着する装着孔を設けている。
【００１１】
第３の手段は、前記中柱３の上端部に、前記屋根梁１に係止せしめる引掛式の固定金具３ｃを設けると共に、中柱３の下端部を前記床梁２にネジ止めするように設けたものである。
【００１２】
第４の手段の前記中柱３は、帯状板の長手両側縁に一対の屈曲側片３ａを設けた断面略コ字状を成し、該屈曲側片３ａ相互に前記パネル係止杆３ｂを架設し、一方、前記壁パネル５は、前記中柱３の屈曲側片３ａ内部に重合する縦枠５ａを壁パネル５の左右側縁に設け、該縦枠５ａの上部に設ける前記係止溝５ｂをパネル係止杆３ｂの下方から係止する縦長状に形成し、縦枠５ａの下部に設ける前記係止溝５ｃを側面略鍵形状に形成することを課題解消のための手段とする。
【考案の効果】
【００１３】
本考案は、請求項１により、中柱３の上下に設けた一対のパネル係止杆３ｂに、壁パネル５の上下に設けた係止溝５ｂ、５ｃを係止させて固定する構造なので、壁パネル５を止める為の特別なボルト等は不要になり、施工時間を短縮し、壁パネル５の装着作業を簡略化している。
【００１４】
請求項２によると、抜止具６を室内側から装着するのみで、外側からの壁パネルの取り外しを防止するので、簡単且つ確実にユニットハウスの防犯性を高めることができる。しかも、室内で抜止具６を外すことで、連設された壁パネル５の中から一部の壁パネル５の解体作業も容易に行えるものになる。
【００１５】
請求項３では、中柱３の上端部に、前記屋根梁１に係止せしめる引掛式の固定金具３ｃを設けているので、中柱を屋根梁１に取り付ける際に脚立作業が不要になる。しかも、中柱３の下端部を床梁２にネジ止めするので、完成したユニットハウスをクレーン等で吊り上げたときでも、屋根梁１のたわみによる壁パネル５脱落等の不具合をなくしている。
【００１６】
請求項４によると、壁パネル５は、前記中柱３の屈曲側片３ａ内部に重合する縦枠５ａを壁パネル５の左右側縁に設け、該縦枠５ａの上部に設ける前記係止溝５ｂをパネル係止杆３ｂの下方から係止する縦長状に形成し、縦枠５ａの下部に設ける前記係止溝５ｃを側面略鍵形状に形成したものであるから、壁パネル５の装着作業は、中柱３に立てかけた状態で行うことができる。この結果、この中柱３を壁パネル５装着時のガイドとして利用できるので、重量のある壁パネル５でも容易に装着することが可能になった。
【００１７】
このように、本考案によると、壁パネルを容易に設置することが可能で、しかも設置後には外側から壁パネルを取り外すことができず、更には部分的な解体作業も容易に行えるなどといった有益な種々の効果を奏するものである。
【考案を実施するための最良の形態】
【００１８】
本考案においては、屋根梁１と床梁２との間に装着する中柱３と、該中柱３の外側に沿って装着される壁パネル５とを設ける。中柱３の上下に設けた一対のパネル係止杆３ｂに、壁パネル５の上下に設けた係止溝５ｂ、５ｃを係止させて固定する。ユニットハウスの室内から中柱３と壁パネル５とに挿通する抜止具７を装着せしめる。中柱３は、帯状板の長手両側縁に一対の屈曲側片３ａを設けた断面略コ字状に設ける。該屈曲側片３ａ相互に前記パネル係止杆３ｂを架設する。一方、前記壁パネル５は、前記中柱３の屈曲側片３ａ内部に重合する縦枠５ａを壁パネル５の左右側縁に設ける。該縦枠５ａの上部に設ける前記係止溝５ｂをパネル係止杆３ｂの下方から係止する縦長状に形成し、縦枠５ａの下部に設ける前記係止溝５ｃを側面略鍵形状に形成する。前記中柱３の上端部に、前記屋根梁１に係止せしめる引掛式の固定金具３ｃを設ける。中柱３の下端部を前記床梁２にネジ止めするように設けることで、当初の目的を達成するものである。
【実施例】
【００１９】
以下、図面に基づいて本考案の実施例を説明する。図１はユニットハウスの壁パネル５の概要を示す斜視図、図２はユニットハウスの屋根梁１及び床梁２と中柱３の実施例を示す斜視図、図３、図４は壁パネル５を取り付けた状態を示す分解斜視図及び断面図、図５は壁パネル５の抜け止め構造を示す断面図、図６は壁パネル５の固定構造の他の実施例を示している。
【００２０】
図２において、ユニットハウス端面の屋根梁１に中柱３を受ける角穴を有する中柱上部受け金物４を設け、かつユニットハウスの床梁２に中柱３を固定する固定孔２ａを開穿している。一方、中柱３は室外側に開放したコの字断面形状の屈曲側片３ａの上部及び下部若しくは中間部にパネル係止杆３ｂを２ヶ所設けている（図３、図４参照）。また、中柱３の上端部に挿入金物３ｃを設け、下端部にベースプレート３ｄを設け、このベースプレート３ｄに固定孔３ｆを開穿している（図２参照）。更に、壁パネル５接合部の気密を重視する場合は、図２に示す如く、中柱３の内面に、EPDMや発泡樹脂等のパッキン３ｅを貼り付けてもよい。
【００２１】
中柱３の固定は、固定金具３ｃを屋根梁１に設けた中柱上部受け金物４内に差し込んで引掛け、床梁２の固定孔２ａにベースプレート３ｄの固定孔３ｆを合わせ、ボルトＰ及びナットＱで固定する（図２参照）。この際、ボルトＰはナットＱが下側になるように設置する。
【００２２】
また、図４に示す如く、パネル係止杆３ｂをユニットハウスに設置した中柱３の中間部に設置しても良い。中柱３の屈曲側片３ａは、壁パネル５の左右縦枠５ａのガイドの役割を有し、所定の角度を保ちながら上方に持ち上げ、最上部まで壁パネル５を持ち上げたときにパネル係止杆３ｂが係止溝５ｂ内に挿入される。この後、壁面が垂直になるように壁パネル５を中柱３に押し付けると、パネル係止杆３ｂに壁パネル５が係止した状態で固定されるものである。
【００２３】
この際、壁パネル５の左右縦枠５ａの上部に設ける前記係止溝５ｂをパネル係止杆３ｂの下方から係止する縦長状に形成し、縦枠５ａの下部に設ける前記係止溝５ｃを側面略鍵形状に形成している。この係止溝５ｃに中柱３のパネル係止杆３ｂを差し込んだ後、壁パネル５を所定の位置まで押し下げると係止溝５ｃ内にパネル係止杆３ｂが係止する（図４参照）。
【００２４】
さらに壁パネル５が中柱３に貼り付けたパッキン３ｅの摩擦により最下部まで落ちない場合は中柱３と壁パネル左右縦枠５ａが正規の位置になるように施された中柱３のパネル誘導孔Ｃから縦枠５ａの調整孔Ｄに、シノ７等の工具を挿入して操作することで、壁パネル５を容易に最下部まで落とし込むことができる（図５参照）。
【００２５】
一方、抜止具６を装着する装着孔として、中柱３にタップ加工されたタップ孔Ｂと、壁パネル左右縦枠５ａに施された挿入孔Ａとが形成されている。これらの装着孔が所定の壁パネル５装着位置において同心となった状態で、各装着孔に抜止具６を装着する。すなわち、図示例では、タップ孔Ｂにボルト状の抜止具６をネジ止めすることで、壁パネル左右縦枠５ａの挿入孔Ａに抜止具６が挿入されるものである（図５参照）。
【００２６】
このように完成した壁パネル構造は、室内の抜け止めボルト６を抜いて、壁パネルを上方に上げなければ取り外すことは出来ない。つまり室外からの壁パネル５取り外しは非常に困難となり、防犯性が高まるといえる。
【００２７】
なお、本考案の壁パネル構造において、壁パネル５と中柱３のパネル係止杆３ｂ、３ｃを丸棒としているが、図６のような鋼板曲げ加工品のパネル固定金具が係止する形状でもよく、考案の要旨を変更しない範囲での設計変更は自由に行われて良いものである。
【００２８】
そして、壁パネル３の抜止具６に関しても、図示例ではボルト状に形成しているが、このボルトに代えて、打ち込みピンやパネル用ファスナーを挿入することで同様の効果を得ることが出来る。
【００２９】
本考案固定構造を使用して壁パネル５を組み立てるには、次の方法による。すなわち、
屋根梁１に中柱３上端の固定金具３ｃを係止し、中柱３下端の中柱ベースプレート３ｄをボルトとナットで床梁２に固定する。次に、該中柱３にユニットハウスの外側から壁パネル５を立て掛け、中柱３に沿って壁パネル５を持ち上げ操作することにより、中柱３のパネル係止杆３ｂに壁パネル５の係止溝５ｂ、５ｃを固定する。その後、ユニットハウスの内側から中柱３と壁パネル５とに抜止具６を装着するものである。
【００３０】
尚、本考案における図示例の各構成は、本考案の一実施例に過ぎず、各構成部材の形状、寸法等の設計変更、形態の変更など、現在知られている技術範囲で自由に変更することができるものである。
【図面の簡単な説明】
【００３１】
【図１】ユニットハウスの壁パネルの概要を示す斜視図である。
【図２】本考案の屋根梁、床梁、中柱の実施例を示す斜視図である。
【図３】本考案の壁パネルの取り付状態を示す分解斜視図である。
【図４】本考案の壁パネルの取り付状態を示す要部断面図である。
【図５】本考案の壁パネルの抜け止め構造を示す断面図である。
【図６】本考案の壁パネル固定構造の他実施例を示す要部断面図である。
【符号の説明】
【００３２】
１    屋根梁
２    床梁
２ａ  固定孔
３    中柱
３ａ  屈曲側片
３ｂ  パネル係止杆
３ｃ  固定金具
３ｄ  中柱ベースプレート
３ｅ  気密パッキン
３ｆ  固定孔
４    中柱上部受け金物
５    壁パネル
５a   縦枠
６    抜止具
７    シノ
８    パネル固定金具
９    ユニットハウス本体
Ａ    挿入孔
Ｂ    タップ穴
Ｃ    パネル誘導孔
Ｄ    調整孔
Ｐ    ボルト
Ｑ    ナット
【図１】
0003113860.tif 000003
【図２】
0003113860.tif 000004
【図３】
0003113860.tif 000005
【図４】
0003113860.tif 000006
【図５】
0003113860.tif 000007
【図６】
0003113860.tif 000008